(57)【要約】      （修正有）【課題】ゴルフクラブの番手表示を、グリップ部に対する加工を伴うことなく、グリップ部側で行う番手表示具を提供する。【解決手段】番手表示具１０は、シリコンゴム製の短円管状部材からなり、その外周面にはゴルフクラブ２０の番手文字を弾性塗料で印刷する方法、又は射出成形時に番手文字を刻印しておき弾性塗料を充填する方法で表記されている。シリコンゴムの弾性を利用して、ゴルフクラブのグリップ部２１の後端部側から外嵌させ、グリップ部の前端部や後端部近傍へ移動させて締り嵌め状態で装着される。装着の際に大きな強制的弾性変形があっても弾性塗料を用いているために、番手文字が剥離することはない。グリップ部に対する締り嵌めによる摩擦によって固定され、シンプルで機能的な審美性を呈する。短円管状部材は番手に応じて色彩を相違させることも可能である。【選択図】図２
0003167407.tif 000002
【実用新案登録請求の範囲】
【請求項１】
ゴム弾性素材からなる短円管状部材であって、その外周面にはゴルフクラブの番手文字が表記されており、その弾性変形の範囲内で前記ゴルフクラブのグリップ部の後端部側から外嵌させて、前記グリップ部の何れの位置においても締り嵌め状態で装着することが可能であるゴルフクラブの番手表示具。
【請求項２】
前記短円管状部材を前記ゴルフクラブのシャフト部における前記グリップ部近傍にも締り嵌め状態で装着することが可能である請求項１に記載のゴルフクラブの番手表示具。
【請求項３】
前記短円管状部材を構成するゴム弾性素材がシリコンゴムである請求項１又は請求項２に記載のゴルフクラブの番手表示具。
【請求項４】
前記短円管状部材の外周面に表記されるゴルフクラブの番手に応じて、前記短円管状部材の色彩を相違させた請求項１、請求項２又は請求項３に記載のゴルフクラブの番手表示具。
【請求項５】
ゴルフクラブの番手文字が、前記短円管状部材の外周面に弾性塗料で印刷する方法により、又は文字刻印後に弾性塗料を充填する方法により表記されることとした請求項１、請求項２、請求項３又は請求項４に記載のゴルフクラブの番手表示具。
【請求項６】
弾性塗料がアクリルシリコン樹脂である請求項５に記載のゴルフクラブの番手表示具。
【請求項７】
ゴルフクラブの番手文字が前記短円管状部材の外周面に凹部として形成されており、前記短円管状部材を前記グリップ部又は前記シャフト部における前記グリップ部近傍に装着した状態で、横断面が半月状の帯体であり、その平坦面側が接着面とされた装飾用シールを、前記凹部に沿って接着するようにした請求項１、請求項２、請求項３又は請求項４に記載のゴルフクラブの番手表示具。
【請求項８】
薄い弾性板材にゴルフクラブの番手文字が表記された表示プレートと、ゴム弾性素材からなる短円管状部材とで構成され、
前記短円管状部材は、その外周面の一部に凹部が形成されていると共に、前記凹部における周方向の両側壁部には各肉厚内に溝が形成されており、弾性変形の範囲内で前記ゴルフクラブのグリップ部の後端部側から外嵌させて、前記グリップ部の何れの位置においても締り嵌め状態で装着することが可能であり、
前記短円管状部材を前記ゴルフクラブのグリップ部に装着した状態で、前記表示プレートを、番手文字の表示面を表側にして撓ませながら、両側部を前記短円管状部材の各溝に差し込むことにより、前記短円管状部材の凹部内に嵌着させることを特徴とするゴルフクラブの番手表示具。
【請求項９】
前記短円管状部材は、前記ゴルフクラブのシャフト部における前記グリップ部近傍にも締り嵌め状態で装着することが可能である請求項８に記載のゴルフクラブの番手表示具。
【請求項１０】
前記短円管状部材を構成するゴム弾性素材がシリコンゴムである請求項８又は請求項９に記載のゴルフクラブの番手表示具。
【請求項１１】
前記短円管状部材を装着するゴルフクラブの番手に応じて、前記短円管状部材の色彩を相違させることとした請求項８、請求項９又は請求項１０に記載のゴルフクラブの番手表示具。
【請求項１２】
前記表示プレートが透明アクリル板の片面に他方の面から見て番手文字となるように文字印刷を施したものであり、前記表示プレートを文字印刷面が背面となるように前記短円管状部材の凹部に嵌着させるようにした請求項８、請求項９、請求項１０又は請求項１１に記載のゴルフクラブの番手表示具。
【考案の詳細な説明】
【技術分野】
【０００１】
本考案は。ゴルフクラブの番手を容易に視認させるためにゴルフクラブのグリップ部分に装着される表示具に関する。
【背景技術】
【０００２】
近年のゴルフクラブは、ゴルフの若年層や女性への普及を踏まえて、より使い易いものへの改良が図られている。
そして、ゴルフクラブはシャフト部とクラブヘッド部とグリップ部とから構成されているが、クラブの番手表示はクラブへッド部に施されている。具体的には、ウッドではソール面に、アイアンであればソール面やバックフェース面に番手文字が刻印されており、一般にプレーヤはクラブへッド部の番手文字を視認してゴルフクラブの番手識別を行う。
【０００３】
ところで、通常、ゴルフクラブをキャリーバッグの本体部に収納した状態では、ゴルフクラブのグリップ部とシャフト部の大半だけが本体部の中にあり、クラブヘッド部は本体部の開口端から上側に突出しているため、番手の視認は容易である。
しかしながら、ゴルフの初心者等では、コースをラウンド中にトラブルショットやチョロを多発することもあり、後発組への迷惑を少なくするために所要のクラブを何本か持ち歩くことが多い。
【０００４】
その場合、ホールまでの残りの距離やボールの置かれている状況を判断しながら次のためにゴルフクラブを選択することになるが、クラブヘッド部のソールやバックフェースを逐一見て判断・確認しなければならず、クラブヘッド部を下側にして持ち歩いていると、クラブヘッド部が上側になるように逐一持ち替えなければならないのが面倒であると共に、余分な動作が入るので集中力にも影響する。
【０００５】
これに対して、予めグリップ部自体に番手表示を印刷したゴルフクラブもあるが、グリップ部の外周面を印刷可能な材質で構成しなければならず、グリップ部のデザインや握持した際の感触については個人的な好みに大きく影響されるために万人向けではない。
また、既使用のグリップ部から番手表示が印刷されたグリップ部に交換する場合には、高度な熟練した技術を要し、専門家に依頼すると高い工賃がかかる。
【０００６】
そこで、従来からゴルフクラブの番手表示については様々な手法が提案されており、下記特許文献１においては、図１０（Ａ）,（Ｂ）に示すような、円形のキャップ形状の本体101と取付部材102と表示部材103で構成された表示具104を用い、図１１（Ａ）に示すように、その表示具104をゴルフクラブ105のグリップ部106の後端面107に取付部材102で固定する方式を採用している。
具体的には、グリップ部106の後端面107に形成されているネジ孔108に対してテーパーネジである取付部材102を螺着させるようになっており、その結果、図１１（Ｂ）に示すように、ゴルフクラブ105の後端には所有者のイニシャルと番手が記載された表示部材103［表示面は図１０（Ｂ）を参照］が取り付けられ、グリップ部106側でも番手表示が確認できることになる。
【０００７】
また、下記特許文献２では、図１２に示すように、グリップ部111を構成しているゴム材や樹脂素材の表層部分112に凹部113を形成し、番手表示を施したプレート114を前記凹部113に嵌合・接着したゴルフクラブや、図１３に示すように、グリップ部121を構成している表層部分122に対して片面を面ファスナー123としたシート124を貼着し、番手表示を施したプレート125の裏面にも面ファスナー126を設けておき、前記面ファスナー123,126同士を接合させてプレート125をグリップ部121の表層部分122に着脱自在に貼り付けられるようにしたゴルフクラブが提案されている。
【先行技術文献】
【特許文献】
【０００８】
【特許文献１】特開２０００−１０７３３７号公報
【特許文献２】登録実用新案第３０４１０４３号公報
【考案の概要】
【考案が解決しようとする課題】
【０００９】
前記のように、特許文献１，２の提案はグリップ部側に番手表示を付することを可能にしており、ラウンド中のゴルフクラブの番手選択に際して、クラブヘッド部側の番手表示を確認しなくても、グリップ部側で識別できるようになる。
【００１０】
しかしながら、特許文献１の発明については、グリップ部106の後端面107にネジ108が形成されていなければならず、既に使用されているゴルフクラブへの適用は不可能であると共に、表示具104における番手表記面が小さいために、その表示内容を見づらいという問題がある。
【００１１】
また、特許文献２の考案における図１２に示したものは、グリップ部111の表層部分112に凹部113を形成しなければならず、その加工が面倒であり、既に使用されているゴルフクラブへの適用が困難であると共に、表層部分112がコード入りのゴム材で構成されているような場合には、練り込まれているコードを切断して凹部113を形成することになるため、表層部分112が凹部113の形成箇所から裂ける等の不具合が発生し易い。
一方、特許文献２の考案における図１３に示したものは、前記のような欠点はないが、面ファスナー123,126を用いた着脱自在な機構によるため、衝撃や擦過によって剥離し易く、また接合部分に汗が滲み込んだり、汚れが付着し易い等の問題もあり、意匠上の観点からも評価の低いものとなる。
尚、双方とも、プレート114,125の直径はグリップ部111,121の直径の半分程度までの小さなサイズになるため、特許文献１の場合と同様に、番手表記面が小さくならざるを得ない。
【００１２】
そこで、本考案は、ゴルフクラブのグリップ部側に番手表示を施すことを可能にしながら、前記のような問題点がなく、意匠上も優れたゴルフクラブの番手表示具を提供することを目的とする。
【課題を解決するための手段】
【００１３】
第１の考案は、ゴム弾性素材からなる短円管状部材であって、その外周面にはゴルフクラブの番手文字が表記されており、その弾性変形の範囲内で前記ゴルフクラブのグリップ部の後端部側から外嵌させて、前記グリップ部の何れの位置においても締り嵌め状態で装着することが可能であるゴルフクラブの番手表示具に係る。
【００１４】
ゴルフクラブのグリップ部はその後端部から前端部に至る区間まで緩い勾配でのテーパー面になっており、後端部と前端部の直径の差はそれほど大きくなく、ゴム弾性素材からなる短円管状部材は、その弾性変形の範囲内で、グリップ部の何れの位置においても締り嵌め状態を実現でき、グリップ部との摩擦関係により密着固定される。
【００１５】
この考案では、ゴム弾性素材の選択によっては、前記短円管状部材をその弾性変形の範囲内で前記ゴルフクラブのシャフト部における前記グリップ部近傍にも締り嵌め状態で装着することが可能である。
また、この考案では、前記短円管状部材を構成するゴム弾性素材としてシリコンゴムを用いることができる。
また、この考案において、前記短円管状部材の外周面に表記されるゴルフクラブの番手に応じて、前記短円管状部材の色彩を相違させておいてもよい。
更に、この考案において、ゴルフクラブの番手文字は、前記短円管状部材の外周面に弾性塗料で印刷する方法により、又は文字刻印後に弾性塗料を充填する方法により表記することが望ましく、その弾性塗料としてアクリルシリコン樹脂を適用できる。
【００１６】
次に、第２の考案は、前記短円管状部材の外周面に対するゴルフクラブの番手文字の施し方を工夫したものであり、番手文字が前記短円管状部材の外周面に凹部として形成されており、前記短円管状部材を前記グリップ部又は前記シャフト部における前記グリップ部近傍に装着した状態で、横断面が半月状の帯体であり、その平坦面側が接着面とされた装飾用シールを、前記凹部に沿って接着するようにしたゴルフクラブの番手表示具に係る。
【００１７】
第１の考案が番手文字の表記の仕方として短円管状部材へ文字を刻印した後に弾性塗料を充填する方法を採用しているのに対して、この第２の考案では、番手文字を刻印した短円管状部材をゴルフクラブに装着した状態で、凹部に沿って帯状の装飾用シールを接着させるようにしており、装飾用シールの横断面が半月状になっていることと併せて、衝撃や擦過に強い文字表記が実現できる。
尚、この第２の考案においても、短円管状部材を構成するゴム弾性素材としてシリコンゴムが適用でき、ゴルフクラブの番手に応じて色彩を相違させることは当然に可能である。
【００１８】
第３の考案は、薄い弾性板材にゴルフクラブの番手文字が表記された表示プレートと、ゴム弾性素材からなる短円管状部材とで構成され、前記短円管状部材は、その外周面の一部に凹部が形成されていると共に、前記凹部における周方向の両側壁部には各肉厚内に溝が形成されており、弾性変形の範囲内で前記ゴルフクラブのグリップ部の後端部側から外嵌させて、前記グリップ部の何れの位置においても締り嵌め状態で装着することが可能であり、前記短円管状部材を前記ゴルフクラブのグリップ部に装着した状態で、前記表示プレートを、番手文字の表示面を表側にして撓ませながら、両側部を前記短円管状部材の各溝に差し込むことにより、前記短円管状部材の凹部内に嵌着させることを特徴とするゴルフクラブの番手表示具に係る。
【００１９】
この考案では、ゴルフクラブに装着した短円管状部材に形成されている凹部に、表示プレートの両側部を前記凹部の両側部に形成した各溝に差し込んで係止させることにより、凹部の中に番手文字が表示される態様で表示プレートを嵌着させるようにしている。
【００２０】
この考案においても、第１の考案と同様に、ゴム弾性素材の選択によって、前記短円管状部材をその弾性変形の範囲内で前記ゴルフクラブのシャフト部における前記グリップ部寄りにも締り嵌め状態で装着することができ、また、前記短円管状部材を構成するゴム弾性素材としてシリコンゴムを用いることができる。
また、前記短円管状部材を装着するゴルフクラブの番手に応じて、前記短円管状部材の色彩を相違させておいてもよい。
更に、前記表示プレートを透明アクリル板の片面に他方の面から見て番手文字となるように文字印刷を施したものとし、前記表示プレートを文字印刷面が背面となるように前記短円管状部材の凹部に嵌着させるようにすることもできる。
【考案の効果】
【００２１】
本考案のゴルフクラブの番手表示具は、次のような効果を奏する。
第１の考案は、グリップ部に継ぎ目のないバンドを装着して番手表示を行うことができ、グリップ部への加工を伴うことなく、シンプルで機能的な審美性を呈して意匠的にも優れた番手表示具を提供する。
また、ゴム弾性素材の弾性変形範囲の大きい点を利用して、番手表示具をグリップ部に装着するかシャフト部へ装着するかを自由に選択することを可能にする。
この考案では、短円管状部材にシリコンゴム等を適用できるが、ゴルフクラブの番手毎に色彩を相違させておくと、プレーヤは、その番手と色彩との対応付けを記憶していれば、ゴルフクラブに装着された短円管状部材の色彩を遠目から見るだけで番手を識別できる。
更に、短円管状部材の番手文字を塗料印刷又は刻印後塗料充填により表記する際に、その塗料としてアクリルシリコン樹脂等の弾性塗料を用いていると、短円管状部材をグリップ部に外嵌・装着させる工程での大きな弾性変形においても塗料が剥離しない。
【００２２】
第２の考案は、短円管状部材に対する番手文字の表記方式として凹部への帯状装飾用シールの接着方式を採用しており、最近では携帯電話の装飾用に多種多様な装飾用シールが市販されていることから、プレーヤ自身が番手文字の色彩を自由に選択して独自性を出すことができる。
【００２３】
第３の考案は、番手表示具を表示プレートと短円管状部材とで構成したことにより、短円管状部材に汎用性を持たせ、番手毎の表示プレートの製作も容易であることから、より安価な番手表示具の提供を可能にする。
また、短円管状部材に形成されている凹部の枠内に番手文字が表示されるため、高級感のある落ち着いた意匠となる。
この考案において、短円管状部材がゴム弾性部材であり、シリコンゴムが適用できることに基づく効果は、前記第１の考案の場合と同様であるが、短円管状部材の色彩を多数に分けた場合には、表示プレートが独立した別部品になっているため、自分の好みの色彩を各番手に対応させることができるという利点がある。
また、この考案においては、表示プレートを透明アクリル板として、その透明アクリル板を透過して番手文字が見える構成が実現でき、その場合にはアクリル板が印刷された番手文字の保護板としての機能を果たし、番手文字の剥離や色褪せ等の劣化を防止できる。
【００２４】
尚、第１、第２及び第３の考案における番手表示具は、それぞれゴルフクラブに対して着脱自在であると共に、グリップ部に対する短円管状部材の装着位置や番手文字の位置を、プレーヤがゴルフクラブを短く持つ場合の目安や、クラブフェース角度を決定するための目安として利用できるという副次的利点がある。
【図面の簡単な説明】
【００２５】
【図１】実施形態１に係る番手表示具の外観斜視図であり、（Ａ）〜（Ｄ）はそれぞれ７番アイアン、９番アイアン、ピッチングウエッジ及びアプローチウエッジに使用されるものである。
【図２】番手表示具をゴルフクラブに装着した状態を示す外観斜視図であり、（Ａ）はグリップ部に、（Ｂ）はシャフト部に装着されている。
【図３】番手表示具をゴルフクラブのシャフトに装着する際の手順を示す図である。
【図４】プレーヤが番手表示具を装着したゴルフクラブでアドレスをとった際の状態を示す図である。
【図５】実施形態２に係る番手文字の構成方式を示す図であって、短円管状部材をグリップ部に装着した状態の外観斜視図（Ａ）、シール材の要部を示す外観斜視図（Ｂ）及び短円管状部材における表示文字を構成する凹部にシール材を貼着している状態を示す外観斜視図（Ｃ）である。
【図６】実施形態３に係る番手表示具の構成要素である短円管状部材の外観斜視図（Ａ）及び表示プレートの斜視図（Ｂ）である。
【図７】短円管状部材の平面図（Ａ）、正面図（Ｂ）、側面図（Ｃ）及び正面図（Ｂ）におけるＸ-Ｘ矢視断面図である。
【図８】ゴルフクラブのグリップ部に短円管状部材を装着した状態を示す外観斜視図（Ａ）、短円管状部材の凹部に対する表示プレートの取り付け作業中の要部断面図（Ｂ）及び短円管状部材の凹部に表示プレートの取り付けた後の要部断面図（Ｃ）である。但し、（Ｂ）及び（Ｃ）は（Ａ）におけるＹ-Ｙ矢視断面に相当する。
【図９】実施形態３に係る番手表示具がゴルフクラブのグリップ部に装着した状態を示す外観斜視図である。
【図１０】特許文献１の発明に係る番手表示具の正面図（Ａ）と平面図（Ｂ）である。
【図１１】特許文献１の発明に係る番手表示具のゴルフクラブへの取り付け前の状態を示す外観斜視図（Ａ）と取り付け後の状態を示す外観斜視図（Ｂ）である。
【図１２】特許文献２の考案に係るゴルフクラブにおける番手表示プレートの取り付け部分の断面図（Ａ）と平面図（Ｂ）である。
【図１３】特許文献２の考案に係るゴルフクラブにおける番手表示プレートの取り付け部分の断面図（Ａ）と平面図（Ｂ）である。
【考案を実施するための形態】
【００２６】
以下、本考案の「ゴルフクラブの番手表示具」の実施形態について図面を参照しながら詳細に説明する。
＜実施形態１＞
この実施形態に係るゴルフクラブの番手表示具の外観斜視図は図１（Ａ）〜（Ｄ）に示され、それぞれ順に７番アイアン、９番アイアン、ピッチングウエッジ及びアプローチウエッジに使用される番手表示具10である。
そして、各番手表示具10は、シリコンゴムを素材として短円管状の形状をなし、その外周面にはそれぞれが装着されるゴルフクラブに係る番手表示である「７i」、「９i」、「ＰＷ」及び「ＡＷ」の文字が施されている。
尚、ここでは４つの番手表示具10を例示的に示しているが、他のアイアンやドライバーやパターについても、それぞれに応じた番手文字が施される。
【００２７】
この番手文字は、外周面にアクリルシリコン樹脂等の弾性塗料で印刷する方法によるものであってもよいが、シリコンゴムの射出成形時に各文字が外周面に刻印されるように射出成形用金型を形成しておき、金型から成形後の製品を取り出した後、刻印された凹部に本体の色彩と異なる色彩のアクリルシリコン樹脂等の弾性塗料を充填する方法によることが望ましい。
【００２８】
そして、この実施形態の番手表示具10は、図２（Ａ）に示すような態様でゴルフクラブに装着される。
具体的には、短円管状の番手表示具10をゴルフクラブ20のグリップ部21に締り嵌め条件で外嵌させ、グリップ部21の前端寄りに装着させている。
この場合、グリップ部21の最大径部分であるグリップエンド付近の直径をＤ1とし、最小径部分である前端部付近の径をＤ2とすると、番手表示具10は、外力が加わらない自然状態における内径Ｄ0がＤ2より小さく、また弾性変形の範囲（塑性変形しない範囲）で内径を拡大させた際に、その内径をＤ1より大きくできるという条件を満たしていなければならない。
【００２９】
また、図２（Ｂ）に示すように、番手表示具11をシャフト部22のグリップ部21寄りに装着することもあり得るが、その場合の番手表示具11については、外力が加わらない自然状態における内径Ｄ0がシャフト部22の直径Ｄ3より小さいという条件となる。
【００３０】
したがって、図２（Ａ）の装着位置の場合には、番手表示具10の内径Ｄ0と厚みｔがグリップ部21の直径Ｄ2との関係で設定されるべきであり、その直径Ｄ2はグリップ部21のサイズ規格（メンズ／レディース／ジュニアサイズ）で異なるが、その規格上の相違はシリコンゴムを素材としたことによる弾性範囲で十分にカバーでき、番手表示具10のサイズとしては、例えば、内径Ｄ0＝１５mm、厚みｔ＝２mm、長さＨ＝１５mmとすることができる。
また、図２（Ｂ）の装着位置の場合には、番手表示具11の内径Ｄ0をシャフト部22の直径Ｄ3に対応させて小さくすればよいことになるが、この場合もシャフト部22のサイズ規格による直径Ｄ3の相違はシリコンゴムによる弾性範囲でカバーできる。
【００３１】
図３の（Ａ）〜（Ｄ）は前記の番手表示具10をゴルフクラブへ装着する際の手順を示す。
先ず、（Ａ）：番手表示具10の内周側の一部をグリップ部21の後端部の外周に引っ掛け、（Ｂ）：その対向位置にあって未だ引っ掛かっていない部分10aを外側へ開くように引張させながら、番手表示具10の下端側の内周面をグリップ部21の後端部の全周に引っ掛ける。
そして、（Ｃ）：グリップ部21の後端面21aより上側へ開口状態になっている番手表示具10の筒部を指で外側へ開き、上端縁の全周を外側へ折り返す態様で筒部を外側へ巻き込みながら下側へ移動させ、（Ｄ）：巻き込みによってリング状になった状態のまま、グリップ部21の外周面で回転させながら下側へ移動させて、グリップ部21の前端寄りの所定位置まで移動した段階で、リング状に巻き込まれている番手表示具10を番手表示面が外側になるように筒状に展開して装着を完了する。
また、図２（Ｂ）に示すように番手表示具11をシャフト部22に装着する場合には、リング状に巻き込まれた状態のまま回転させてシャフト部22の位置まで移動させ、その位置で筒状に展開させればよい。
前記手順において、番手表示具10,11が引張されたりリング状に巻き込まれたりしても、番手表示具10,11の文字部はアクリルシリコン樹脂等の弾性塗料を用いているために文字部が剥離してしまうことはない。
【００３２】
このようにしてゴルフクラブ20のグリップ部21又はシャフト部22に番手表示具10,11を装着しておくと、初級プレーヤに見受けられるように、ラウンド中に数本のゴルフクラブを手に持ってプレーをせざるを得ないような場合において、クラブヘッド部を下側にして持ち歩いていても、番手確認のためにクラブヘッド部が上側になるように持ち替えることなく、グリップ部21側の番手表示具10,11の文字を見るだけで容易に確認できる。
また、この実施形態における番手表示具10,11はシリコンゴムを素材としているため、その色彩を自由に選択でき、それぞれの番手用毎に色彩が異なるようにしておけば、遠目からでもゴルフクラブ20の番手を識別することが可能になる。
【００３３】
いずれにしても、本実施形態の番手表示具10,11は、ゴルフクラブへの加工を伴うことなく、既成のどのようなゴルフクラブについても着脱自在に適用でき、グリップ部21やシャフト部22に対して締り嵌め条件で嵌着せしめられるため、その強い摩擦関係により軸方向へも周方向へもずれることがない。
そして、ゴルフクラブに装着した状態でのシンプルな審美性は意匠として優れており、番手表示具10,11のシリコンゴムと印刷又は刻印後充填される弾性塗料との色彩関係も自由に設定できることは、意匠上の多様性に寄与する。
尚、一般にグリップ部21の表面には握持した際の良好なフィット感を得るためと滑り止めのために細かな凹凸が形成されているが、番手表示具10の内周面にも同程度の細かさの凹凸を形成しておけば、グリップ部21とのより強い摩擦が得られる。
【００３４】
その他、番手表示具10,11の文字部分がアドレスをとった際にクラブフェースのラインと対応するような周方向角度でゴルフクラブ20に装着しておけば、クラブフェースとの関係でグリップ部を正しく握るための目安に利用できると共に、図４に示すように、アドレス時点で最終的に番手の再確認を容易に行えるという利点もある。
更に、グリップ部21の軸方向に関する番手表示具10の装着位置は、図３（Ｄ）で説明した過程で任意に調整できるため、ゴルフクラブ20を短く握る場合における握持位置の目安にでき、逆にグリップエンド側に装着すれば通常の握持位置の目安にできる。
【００３５】
＜実施形態２＞
実施形態１の番手表示具10においては、番手文字を施す方式として、外周面に塗料印刷を行うか又は刻印後塗料充填を行う方式を採用しているが、塗料を用いないでシール材を適用することも可能である。
このシール材としては、携帯電話の外周面にユーザが装飾を施すための各種装飾用シール（通称：デコシール）が市販されており、これを利用すればよい。
【００３６】
先ず、図５（Ａ）に示すように、射出成形工程において予め番手文字が刻印されているシリコンゴム製の短円管状部材30を実施形態１の図３において説明した要領でゴルフクラブのシャフト部31に装着させる。
この装着状態では、番手文字を構成する凹部32が少し周方向へ伸長された状態で外周面に位置することになるが、その凹部32に沿って図５（Ｂ）に示すような横断面が半月状の帯体である装飾用シール33を貼着する。
【００３７】
より具体的には、この種の装飾用シール33は平面部分が貼着面33aになっており、その貼着面33aには接着剤が塗布されていると共に、未使用状態ではセパレータ34が貼り合せてある。
したがって、番手文字をセグメントに分割し、そのセグメント毎に対応した長さの装飾用シール33を作成しておき、図５（Ｃ）に示すように、凹部32で構成されている番手文字の各セグメントに沿って、セパレータ34を剥離させながら装飾用シール33を貼着してゆく。
【００３８】
この方式によると、素材としての装飾用シール33には多種多様な色彩やマチエールのものが販売されていることから、短円管状部材30の色彩に対して自分の好みの番手文字の色彩を組み合わせることができ、個々のプレーヤが番手表示部に独自性を出すことができる。
また、機械的観点からみても、凹部32に沿って半月状の凸部となった装飾用シール33が貼着された状態になっているため、擦過によっても剥がれることはなく、その貼着力は十分な耐衝撃性を有している。
【００３９】
＜実施形態３＞
この実施形態の番手表示具は図６に示され、シリコンゴムで形成された短円管状部材50と薄いアクリル板である表示プレート51とからなる。
ここに、短円管状部材50は、図６（Ａ）及び図７の（Ａ）〜（Ｄ）に示すように、外周面の一部に方形状の凹部52が形成されており、その凹部52における周方向の両側部53,54にはその壁部の肉厚内に溝53a,54aが形成されている。
一方、表示プレート51の片面には、ゴルフクラブの番手文字が印刷又は刻印後塗料充填により施されている。
【００４０】
そして、短円管状部材50は実施形態１の番手表示具10の場合と同様の手順［図３の（Ａ）〜（Ｄ）］でゴルフクラブに嵌着され、図８（Ａ）はグリップ部55に短円管状部材50を装着した状態を示し、凹部52が形成されている面を外側面として装着される。
【００４１】
次に、グリップ部55に装着された短円管状部材50の凹部52に対して表示プレート51が番手表示面を表側にして取り付けられる。
具体的には、図８（Ｂ）に示すように、表示プレート51の側端部51aを短円管状部材50の溝53aに挿入し、そのまま表示プレート51を撓ませた状態で他方の側端部51bを短円管状部材50の他方の溝54aに差し込む。
すると、表示プレート51はその弾性によって平板状態に復元しようとするが、両側端部51a,51bが溝53a,54aの前壁部分53b,54bによって係止されているため、図８（Ｃ）に示すように、表示プレート51が凹部52に沿って嵌着せしめられる。
したがって、前記のように表示プレート51は薄いアクリル板とされ、湾曲可能で一定の弾性を有したものとされる。
【００４２】
その結果、図９に示すように、グリップ部55に装着された短円管状部材50の凹部52の枠内に表示プレート51の番手文字が表示されることになり、実施形態１の番手表示具10の場合と同様の効果が得られる。
また、短円管状部材50に直接番手表示を施すのではなく、表示プレート51を取り付けるようにしたことで、短円管状部材50は一種類だけを多数用意しておけば足り、製作が簡単な平板の表示プレート51だけを番手別に塗料印刷又は刻印後塗料充填して用意すればよい。
もっとも、実施形態１の場合と同様に、短円管状部材50の色彩を番手別に相違させるようにすれば、ゴルフクラブの番手を遠目にも識別でき、特に、この実施形態では表示プレート51が別になっているために、自分の好みの色彩を各番手に対応させることができるという利点がある。
【００４３】
更に、表示プレート51を透明アクリル板とし、その裏面側に表面側から見て番手文字となるように印刷を施し、裏面側が短円管状部材50の凹部52の表面と対向密接するように装着すれば、印刷した番手文字が剥げることはなく、印刷文字で足りること及び印刷も弾性塗料による必要がないことから製造コストの低減化が図れる。
そして、実施形態１の場合のように番手表示具10の表面に番手文字を印刷していると、如何にしても摩擦や衝撃等で印刷文字が剥げ易くなるが、この実施形態ではそのようなことはない。
【００４４】
また更には、図９に示すように、短円管状部材50の凹部52を区画する枠内に番手表示文字が見えることになるため、意匠的にも高級感のある見栄えのよいものとなる。
【産業上の利用可能性】
【００４５】
本考案は、ゴルフクラブのグリップ部又はシャフト部に装着する番手表示具として適用される。
【符号の説明】
【００４６】
10,11…番手表示具、10a…グリップ部の後端部に引っ掛かっていない部分、20…ゴルフクラブ、21…グリップ部、21a…グリップ部の後端面、22…シャフト部、30…短円管状部材、31…グリップ部、32…番手文字を構成する凹部、33…装飾用シール、33a…貼着面、34…セパレータ、50…短円管状部材、51…表示プレート、51a,51b…側端部、52…凹部、53,54…凹部の周方向の側部、53a,54a…溝、53b,54b…前壁部分、55…グリップ部、101…本体、102…取付部材、103…表示部材、104…表示具、105…ゴルフクラブ、106…グリップ部、107…後端面、108…ネジ孔、111…グリップ部、112…表層部分、113…凹部、114…プレート、121…グリップ部、122…表層部分、123…面ファスナー、124…シート、125…プレート、126…面ファスナー。
【図１】
0003167407.tif 000003
【図２】
0003167407.tif 000004
【図３】
0003167407.tif 000005
【図４】
0003167407.tif 000006
【図５】
0003167407.tif 000007
【図６】
0003167407.tif 000008
【図７】
0003167407.tif 000009
【図８】
0003167407.tif 000010
【図９】
0003167407.tif 000011
【図１０】
0003167407.tif 000012
【図１１】
0003167407.tif 000013
【図１２】
0003167407.tif 000014
【図１３】
0003167407.tif 000015